【事件の表示】
　特許第３２８５３１６号「太陽電池モジュールの端子ボックス」の請求項２に係る特許に対する特許異議の申立てについて、次のとおり決定する。
【結　論】
　訂正を認める。
　特許第３２８５３１６号の請求項２に係る特許を取り消す。
【理　由】
〔１〕手続の経緯
　特許第3285316号の請求項１〜４に係る発明についての出願は、平成９年１月24日に特許出願され、平成14年３月８日にその発明について特許権の設定登録がされ、その後、請求項２に係る発明の特許について、特許異議申立人・三洋電機株式会社より特許異議の申立てがされ、取消しの理由が通知され、その指定期間内である平成15年６月３日に訂正請求がされたものである。
　
〔２〕訂正の適否についての判断
(1)訂正の内容
　ア．訂正事項ａ
　特許請求の範囲の【請求項２】に記載される「各出力リードフレームと電気的に接続される第１接続部分、前記バイパスダイオードの端子と電気的に接続された第２接続部分、および、隣接する太陽電池本体部同士を電気的に接続する出力ケーブルに電気的に接続される第３接続部分をそれぞれ有しており、前記保護ケース内にそれぞれ取り付けられた一対の平板状の接続金具」を、
「各出力リードフレームと電気的に接続される
各出力リードフレームに沿って延びる
側方に突出した
ビス孔よりなる
　イ．訂正事項ｂ
　発明の詳細な説明の段落【0018】に記載される「各出力リードフレームと電気的に接続される第１接続部分、前記バイパスダイオードの端子と電気的に接続された第２接続部分、および、隣接する太陽電池本体部同士を電気的に接続する出力ケーブルに電気的に接続される第３接続部分をそれぞれ有しており、前記保護ケース内にそれぞれ取り付けられた一対の平板状の接続金具」を、
「各出力リードフレームと電気的に接続される
各出力リードフレームに沿って延びる
側方に突出した
ビス孔よりなる
　ウ．訂正事項ｃ
　明細書の段落【0023】〜【0056】の記載をそれぞれ段落【0021】〜【0054】に繰り上げる
　
(2)訂正の目的の適否、新規事項の有無及び拡張・変更の存否
　上記訂正事項ａは、第１接続部分、第２接続部分、及び第３接続部分を限定するものであるから、特許請求の範囲の減縮を目的とするものであり、また「
各出力リードフレームに沿って延びる
側方に突出した
ビス孔よりなる
　上記訂正事項ｂは、上記訂正事項ａの訂正にともない記載を整合したものであるから、明りょうでない記載の釈明を目的とするものであり、新規事項の追加に該当しない。
　上記訂正事項ｃは、段落を繰り上げたものであるから、明りょうでない記載の釈明を目的とするものであり、新規事項の追加に該当しない。
　そして、上記訂正事項ａ〜ｃは、実質上特許請求の範囲を拡張し、又は変更するものでもない。
　
(3)独立特許要件について
　上記訂正事項ａは、上記(2)に示すように、請求項２に係る発明を減縮するものであるから、請求項２に係る発明を引用する請求項４に係る発明についても減縮するものである。そこで、以下に請求項４に係る発明についての独立特許要件を検討する。
　請求項４に係る発明は、「接続金具には、１または複数の接続部分が、さらに設けられている」点を特徴とするものであるが、かかる点は、下記〔３〕(2)に提示されたいずれの刊行物にも記載されておらず、かつ、自明の事項とも認められない。
　したがって、請求項４に係る発明は、独立して特許を受けることができるものと認められる。
　
(4)むすび
　以上のとおりであるから、上記訂正は、特許法第120条の４第２項及び同条第３項において準用する同法第126条第２〜４項の規定に適合するので、当該訂正を認める。
　
〔３〕特許異議の申立てについての判断
(1)本件発明
　上記〔２〕で示したように上記訂正が認められるから、本件の請求項２に係る発明（以下、「本件発明」という。）は、上記訂正に係る訂正明細書の特許請求の範囲の請求項２に記載された事項により特定される以下のとおりのものである。
　なお、請求項１、３、４に係る発明は、異議申立てされていない。
「複数の太陽電池セルによって平板状に構成された太陽電池本体部の出力を取り出すように太陽電池本体部に取り付けられた太陽電池モジュールの端子ボックスであって、前記太陽電池本体部のインターコネクタにおける複数の出力リードフレームが内部に挿入されるように太陽電池本体部の裏面に配置された保護ケースと、バイパスダイオードと、各出力リードフレームと電気的に接続される各出力リードフレームに沿って延びる第１接続部分、前記バイパスダイオードの端子と電気的に接続された側方に突出した第２接続部分、および、隣接する太陽電池本体部同士を電気的に接続する出力ケーブルに電気的に接続されるビス孔よりなる第３接続部分をそれぞれ有しており、前記保護ケース内にそれぞれ取り付けられた一対の平板状の接続金具と、を具備することを特徴とする太陽電池モジュールの端子ボックス。」
　なお、上記の「各出力リードフレームに沿って延びる第１接続部分」の点について、全文訂正明細書には「各出力フレームに沿って延びる第１接続部分」と記載されているが、明細書全体からみて、また、訂正請求書の７．請求の理由の(3)訂正事項の記載からみて、明らかに「各出力リードフレームに沿って延びる第１接続部分」の誤記と認められるから、上記のように認定した。
　
(2)引用刊行物に記載された発明
　ア．当審で通知した取消しの理由で引用した刊行物１（実願昭59-67930号（実開昭60-179053号）のマイクロフィルム、特許異議申立人が提出した甲第１号証）には、太陽電池モジュールに関して、第１、２図とともに以下の事項が記載されている。
（ア−１）「従来の太陽電池モジュールにおいて簡易な端子ボックスにバイパスダイオードを取り付ける場合には、出力リード線とバイパスダイオードをそれぞれ半田付けするように成されているため、半田付けポイントが多くなり、信頼性にも欠けてしまう問題点があった。即ち第２図に示すように、簡易端子ボックス本体１内に設けられた中継フレーム２に半田付けによってバイパスダイオード３及び出力リード線４，４’が接続されている。ここでａ，ａ’は太陽電池本体の出力線との接続半田付けポイント、ｂ，ｂ’はバイパスダイオード３の接続半田付けポイント、ｃ，ｃ’は出力リード線４，４’の接続半田付けポイントを示しており、半田付けポイントが多く存在し、信頼性にも欠けてしまう問題点があった。」（明細書第２頁第６行〜第３頁第１行）
（ア−２）第２図には、端子ボックス本体１に、接続半田付けポイントａ，ａ’方向に延出した延出部分、接続半田付けポイントｂ，ｂ’方向に延出した延出部分、接続半田付けポイントｃ，ｃ’が設けられる部分を有する中継フレーム２が設けられており、接続半田付けポイントａ，ａ’には太陽電池本体の出力線が接続されており、接続半田付けポイントｂ，ｂ’にはバイパスダイオード３が接続されており、接続半田付けポイントｃ，ｃ’には出力リード線４，４’が接続されている簡易端子ボックスが図示されている。
　以上の記載及び第２図の図示内容を総合すると、刊行物１には、以下の発明（以下、「引用発明」という。）が記載されているものと認められる。
「太陽電池モジュールの簡易端子ボックスであって、簡易端子ボックス本体１と、バイパスダイオード３と、太陽電池本体の出力線との接続半田付けポイントａ，ａ’が設けられる延出部分、前記バイパスダイオード３の接続半田付けポイントｂ，ｂ’が設けられ側方に突出した部分、および、出力リード線４，４’の接続半田付けポイントｃ，ｃ’が設けられる部分をそれぞれ有しており、簡易端子ボックス本体１内に設けられた一対の中継フレーム２と、を具備する太陽電池モジュールの簡易端子ボックス。」
　
　イ．同じく刊行物２（特開平5-343724号公報、特許異議申立人の提出した甲第２号証）には、太陽電池モジュール用出力端子ボックスに関し、図１〜13とともに以下の事項が記載されている。
（イ−１）「【従来の技術】図３を参照して、従来の太陽電池モジュールの一例が図解されている。図３(A)，(B)および(C)は、それぞれ、太陽電池モジュールの上面図，縦断面図および等価回路図を示している。一般に、太陽電池モジュール1Aは、所望の出力電圧を得るようにインタコネクタ３によって電気的に直列接続された複数の太陽電池セル２を含んでいる。」（段落【0002】）
（イ−２）「図６を参照して、複数個の太陽電池モジュール1Aをさらに直列接続した太陽電池システムの一例が概略的に示されている。図６(A)および(B)は、それぞれ、その太陽電池システムのブロック図および等価回路図を示している。」（段落【0005】）
（イ−３）「上述のようなバイパスダイオード４や逆流防止ダイオード８は、図13に示されているような端子ボックス内で結線され得る。図13(A)は端子ボックスの平面図であり、それに含まれる端子ボックス筐体の大部分が除去されて示されている。図13(B)は、図13(A)中の線13B−13Bに沿った断面図を示している。これらの図において、端子ボックスの筐体18は、太陽電池モジュール本体１上に固定される。端子ボックス筐体内では、中継端子支持板13が中継端子支持板用ストッパ22やリブ21によって固定されている。中継端子支持板13上には孔14を有する中継フレーム12が固定されている。中継フレーム12は孔10を介して出力取出用導体11に接続されている。中継フレーム12中の孔14は出力リード線15を通過させる。バイパスダイオード４は、２本の出力リード線15の間で太陽電池モジュール１と並列に接続されている。他方、逆流防止ダイオード８は、１つの出力取出用導体11と１つの出力リード線15の間で直列に接続されている。」（段落【0014】）
　図３、７には、太陽電池モジュールの一例が示されており、図13には太陽電池モジュール用端子ボックスが示されている。
　以上の記載及び図３、７、13の図示内容を総合すると、刊行物２には、以下の発明が記載されているものと認められる。
「複数の太陽電池セル２によって平板状に構成された太陽電池本体部の出力を取り出すように太陽電池本体部に取り付けられた太陽電池モジュール1Aの端子ボックスであって、前記太陽電池本体部のインタコネクタ３における複数の出力取出用導体11を備え、かつ、太陽電池本体部の上面に配置された筐体18と、バイパスダイオード４と、各出力取出用導体11と電気的に接続される接続部分、前記バイパスダイオード４の端子と電気的に接続された接続部分、および、出力リード線15に電気的に接続される接続部分をそれぞれ有しており、前記端子ボックスの筐体18内にそれぞれ取り付けられた一対の平板状の中継フレーム12と、を具備する太陽電池モジュールの端子ボックス。」
　
　ウ．同じく刊行物３（特開昭62-54972号公報、特許異議申立人の提出した甲第３号証）には、太陽電池モジュールに関して、第１〜４図とともに以下の事項が記載されている。
（ウ−１）「太陽電池モジュール本体、及び該太陽電池モジュール本体の出力取出し相当部分にかぶせられる端子ボックス筐体を備えてなり、前記端子ボックス筐体内に端子中継板を設け、該端子中継板に一体化される中継フレームを介してモジュールの出力取出し用導体と出力リード線を電気的接続するとともに、前記端子ボックス筐体のリブを兼用して前記端子中継板用ストッパーを形成したことを特徴とする太陽電池モジュール。」（特許請求の範囲）
（ウ−２）「上述のような構成であって、端子ボックス筐体18をモジュール裏面等にかぶせるだけで、コストを低減し、作業性も一段と改善できる。」（公報第２頁右下欄第６〜８行）
　以上の記載及び第１、２図の図示内容を総合すると、刊行物３には、以下の発明が記載されているものと認められる。
「太陽電池モジュールの端子ボックスであって、複数の出力取出し用導体11を備え、かつ、太陽電池本体部の裏面に配置された端子ボックス筐体18と、バイパスダイオード16と、各出力取出し用導体11と電気的に接続される接続部分、前記バイパスダイオード16の端子と電気的に接続された接続部分、出力リード線15と電気的に接続される接続部分をそれぞれ有しており、前記端子ボックス筐体18内にそれぞれ取り付けられた一対の平板状の中継フレーム12と、を具備する太陽電池モジュールの端子ボックス。」
　
(3)対比・判断
　本件発明と引用発明を対比すると、引用発明の「簡易端子ボックス」は本件発明の「端子ボックス」に相当しており、以下同様に、「太陽電池本体の２本の出力線」は「太陽電池本体部の…複数の出力リードフレーム」及び「各出力リードフレーム」に、「バイパスダイオード３」は「バイパスダイオード」に、「出力リード線４，４’」は「出力ケーブル」に、「中継フレーム２」は「接続金具」に、それぞれ相当するものと認められる。また、引用発明において、接続半田付けポイントが設けられることは、「電気的に接続される」又は「電気的に接続された」ことであるから、引用発明の中継フレーム２の「半田付けポイントａ，ａ’が設けられる延出部分」、「接続半田付けポイントｂ，ｂ’が設けられ側方に突出した部分」、「接続半田付けポイントｃ，ｃ’が設けられる部分」は、それぞれ本件発明の「第１接続部分」、「第２接続部分」、「第３接続部分」に相当するものと認められる。
　したがって、両者は、
「太陽電池モジュールの端子ボックスであって、バイパスダイオードと、各出力リードフレームと電気的に接続される第１接続部分、前記バイパスダイオードの端子と電気的に接続された側方に突出した第２接続部分、および出力ケーブルに電気的に接続される第３接続部分をそれぞれ有しており、一対の接続金具と、を具備する太陽電池モジュールの端子ボックス」の点で一致しており、以下の点で両者は相違している。
（相違点１）
　太陽電池モジュールの端子ボックスにおいて、前者は、「複数の太陽電池セルによって平板状に構成された太陽電池本体部の出力を取り出すように太陽電池本体部に取り付けられた」ものであるのに対して、後者は、太陽電池本体部の構成及び簡易端子ボックスの取付態様が明確でない点。
（相違点２）
  前者は、「太陽電池本体部のインターコネクタにおける複数の出力リードフレームが内部に挿入されるように太陽電池本体部の裏面に配置された保護ケース」を有しているのに対して、後者は、太陽電池本体部の複数の出力リードフレームを有するものの、それが「インターコネクタにおける」ものであることが明確でなく、かつ、かかる保護ケースについて明確にされていない点。
（相違点３）
　第１接続部分において、前者は、「各出力リードフレームに沿って延びる」としているのに対して、後者は、そのような構成になっていない点。
（相違点４）
　第３接続部分において、前者は、出力ケーブルを「隣接する太陽電池本体部同士を電気的に接続する」とし、かつ、「ビス孔よりなる」としたのに対し、後者は、出力ケーブルに何を接続するか明確にされておらず、かつ、半田付けで接続した点。
（相違点５）
　一対の接続金具において、前者は、「保護ケース内にそれぞれ取り付けられた」「平板状の」ものであるのに対し、後者は、簡易端子ボックス本体１に設けられるものの、保護ケースとの関係及びその具体的形状が不明である点。
　
　上記の相違点について検討する。
　上記相違点１について
　太陽電池モジュールの端子ボックスを、「複数の太陽電池セルによって平板状に構成された太陽電池本体部の出力を取り出すように太陽電池本体部に取り付けられた」構成とすることは、刊行物２に記載されているように周知技術であり、上記周知技術を引用発明に適用することは当業者にとって容易に想到し得るものと認められる。
　上記相違点２について
　「太陽電池本体部のインターコネクタにおける複数の出力リードフレーム」及び「太陽電池本体部の裏面に配置された保護ケース」の点は、刊行物２に記載された発明の「太陽電池本体部のインタコネクタ３（本件発明の「インタコネクタ」に相当。以下同様。）における複数の出力取出用導体11（「出力リードフレーム」）を備え、かつ、太陽電池本体部の上面（「裏面」）に配置された筐体18（「保護ケース」）」なる構成から把握されるように周知技術といえるものであり、かつ、複数の出力リードフレームが保護ケースの内部に挿入されるようにすることは単なる設計的事項であるものと認められるから、上記周知技術及び設計的事項を引用発明に適用し、相違点２に係る本件発明の構成とすることは当業者にとって容易である。
　上記相違点３について
　本件発明において、第１接続部分を「出力リードフレームに沿って延びる」ようにすることは、第１接続部分とこれに接続する出力リードフレームを同一平面上で互いの方向に沿って延ばしたというにすぎず、当業者が適宜設計し得ることであるから、引用発明において、かかる構成に改変することは単なる設計的事項にすぎない。
　上記相違点４について
　隣接する太陽電池本体部同士を電気的に接続することは、刊行物２により周知技術であり、半田付けに代えてビス孔により接続することは、電気的接続手段として周知慣用技術であるから、上記周知技術及び周知慣用技術を引用発明に適用することは、当業者にとって容易である。
　上記相違点５について
　一対の接続金具を、「保護ケース内にそれぞれ取り付けられた平板状」とすることは、刊行物２に記載された発明における「端子ボックスの筐体18内にそれぞれ取り付けられた一対の平板状の中継フレーム12」、刊行物３に記載された発明における「端子ボックス筐体18内にそれぞれ取り付けられた一対の平板状の中継フレーム12」が、相当するものであって、周知技術といえるものであるから、上記周知技術を引用発明に適用し、相違点５に係る本件発明の構成とする程度のことは、当業者が容易に想到し得るものと認められる。
　
　そして、本件発明の作用効果をみても、引用発明及び刊行物２、３に記載された発明から当業者が容易に予測できる程度のものであって、格別のものとはいえない。
　
〔４〕むすび
　以上のとおりであるから、本件発明は、引用発明及び刊行物２、３に記載された発明から当業者が容易に発明をすることができたものであるから、本件発明についての特許は、特許法第29条第２項の規定に違反してされたものである。
　したがって、本件発明についての特許は、特許法第113条第２号に該当し、取り消されるべきものである。
　よって、結論のとおり決定する。
【異議決定日】
平成１５年８月１４日（２００３．８．１４）
【訂正の要旨】
審決（決定）の【理由】欄参照。
（５４）【発明の名称】
太陽電池モジュールの端子ボックス
（５７）【特許請求の範囲】
　【請求項１】　複数の太陽電池セルによって平板状に構成された太陽電池本体部の周縁部が枠体によって取り囲まれて構成された太陽電池モジュールにおいて、太陽電池本体部の出力を取り出すように太陽電池本体部に取り付けられた端子ボックスであって、
　前記太陽電池本体部のインターコネクタにおける複数の出力リードフレームが内部に挿入されるように太陽電池本体部の裏面に配置された保護ケースと、
　隣接する太陽電池本体部同士を電気的に接続する出力ケーブルに取り付けられたコネクタのプラグが挿入されるように枠体に設けられた開口部に連通しており、そのプラグと電気的に接続されるように、各出力リードフレームと電気的に接続された状態で前記保護ケース内に設けられたコネクタのソケットと、
　各出力リードフレームの間に設けられたバイパスダイオードと、
　を具備することを特徴とする太陽電池モジュールの端子ボックス。
　【請求項２】　複数の太陽電池セルによって平板状に構成された太陽電池本体部の出力を取り出すように太陽電池本体部に取り付けられた太陽電池モジュールの端子ボックスであって、
　前記太陽電池本体部のインターコネクタにおける複数の出力リードフレームが内部に挿入されるように太陽電池本体部の裏面に配置された保護ケースと、
　バイパスダイオードと、
　各出力リードフレームと電気的に接続される
各出力フレームに沿って延びる
側方に突出した
ビス孔よりなる
　を具備することを特徴とする太陽電池モジュールの端子ボックス。
　【請求項３】　複数の太陽電池セルによって平板状に構成された太陽電池本体部の出力を取り出すように太陽電池本体部に取り付けられた太陽電池モジュールの端子ボックスであって、
　前記太陽電池本体部のインターコネクタにおける複数の出力リードフレームが内部に挿入されるように太陽電池本体部の裏面に配置された保護ケースと、
　各出力リードフレームと電気的に接続される第１接続部分、および、隣接する太陽電池本体部同士を電気的に接続する出力ケーブルに電気的に接続される第３接続部分をそれぞれ有しており、前記保護ケース内にそれぞれ取り付けられた一対の平板状の接続金具と、を具備し、
　前記接続金具は、第１接続部分と第３接続部分との間に、伸縮可能になったストレスリリーフが設けられていることを特徴とする太陽電池モジュールの端子ボックス。
　【請求項４】　前記接続金具には、１または複数の接続部分が、さらに設けられている請求項２に記載の太陽電池モジュールの端子ボックス。
【発明の詳細な説明】
　【０００１】
　【発明の属する技術分野】
　本発明は、家屋の屋根等に設置される太陽電池モジュールにおいて、太陽電池本体部の出力を取り出すようにその太陽電池本体部に取り付けられる端子ボックスに関する。
　【０００２】
　【従来の技術】
　太陽光を受光して電気を発生させる太陽電池モジュールの一例を図１５〜図１７に示す。この太陽電池モジュール６０は、長方形の平板状をした太陽電池セル本体６１を有している。この太陽電池セル本体６１は、マトリックス状に配置された複数の太陽電池セルを、インターコネクタ等によって、電気的に直列または並列に接続されたスーパーストレート構造になっている。この太陽電池セル本体６１の表面側には、図１６および図１７に示すように、透明樹脂によって薄い平板状に構成された充填材６２を介して、白色強化ガラス板６３が積層されている。また、太陽電池セル本体６１の裏面側にも、透明樹脂によって薄い平板状に構成された充填材６４を介して、耐候性フィルム６５が積層されている。そして、太陽電池セル本体６１が、白色強化ガラス板６３と、耐候性フィルム６５とによって、各充填材６２および６４をそれぞれ介して挟持されて、全体として平板状の太陽電池本体部６６が構成されている。
　【０００３】
　このような太陽電池本体部６６は、枠体６７によって取り囲まれた状態になっている。各枠体６７は、長手方向に沿った長辺側の枠材６７ａおよび幅方向に沿った短辺側の枠材６７ａに、各側縁部をそれぞれ、緩衝材６７ｃ（図１６参照）を介して嵌合されている。枠体６７の各枠材６７ａは、アルマイト処理およびクリア塗装等が施されたアルミニウムの押し出し成形によって、それぞれ構成されている。図１５に示すように、隣接する枠材６７ａ同士は、ネジ６７ｂによって連結されており、また、各長辺側の枠材６７ａには、架台に固定するための複数のネジ孔６７ｄが設けられている。
　【０００４】
　図１５に示すように、太陽電池本体部６６の一方の端部の裏面には、端子ボックス７０が設けられており、この端子ボックス７０には、太陽電池セル本体６１の電気出力を取り出すための一対の出力ケーブル６８が接続されている。各出力ケーブル６８の先端部には、防水コネクタのプラグ６８ａおよび防水コネクタのソケット６８ｂがそれぞれ設けられている。
　【０００５】
　このような太陽電池モジュール６０は、例えば、図１８に示すように、家屋の屋根に配置された架台に対して、多数が縦方向および横方向に隣接した状態で取り付けられる。そして、縦方向に並んだ各太陽電池モジュール６０は、電気的に接続されて系統化されており、端部に位置する太陽電池モジュール６０の一方の出力ケーブル６８が、アレイ出力ケーブル７８に接続されている。
　【０００６】
　隣接する太陽電池モジュール６０同士は、それぞれの一方の出力ケーブル６８同士を接続することによって電気的に接続される。図１９（ａ）は、出力ケーブル６８同士を接続するコネクタの側面図である。一方の太陽電池モジュール６０の出力ケーブル６８における防水コネクタのプラグ６８ａは、他方の太陽電池モジュール６０における出力ケーブル６８の端部に設けられた防水コネクタのソケット６８ｂに挿入される。そして、図１９（ｂ）に示すように、防水コネクタのプラグ６８ａおよびソケット６８ｂのいずれか一方を回動させてロックすることにより、コネクタは接合状態になる。
　【０００７】
　端子ボックス７０から延出する出力ケーブル６８は、太陽電池モジュール６０の表面側に引き出されて、図２０に示すように、隣接する太陽電池モジュール６０に設けられた端子ボックス７０から延出する各出力ケーブル６８と、防水コネクタのプラグ６８ａおよびソケット６８ｂ同士が接続された状態で、両太陽電池モジュール６０の間の空間内に収容されるようになっている。
　【０００８】
　図２１は、太陽電池モジュール６０を、家屋の屋根に取り付けた状態を示す概略図である。各太陽電池モジュール６０は、家屋の屋根に配置された架台７３に、縦方向および横方向に並べられて、マトリクス状に取り付けられている。架台７３に取り付けられた各太陽電池モジュール６０の出力は、アレイ出力ケーブル７８によって、接続箱７４に供給され、さらに、接続箱７４からインバーター７５に供給されている。インバーター７５は、各太陽電池モジュール６０にて発電された直流電力を交流電力に変換している。インバーター７５によって変換された交流電力は、屋内配電盤７６から、２台の電力量計を有する計測部７７に供給されており、計測部７７の一方の電力量計を介して、家庭内に供給されるとともに、余剰の電力が、計測部７７の他方の電力量計を介して、商用電力として外部に供給される。
　【０００９】
　図２２は、太陽電池本体部６６の裏面に設けられる端子ボックス７０の平面図である。この端子ボックス７０は、保護ケース７１を有しており、保護ケース７１内に、太陽電池本体部６６に設けられたインターコネクタの一対の出力リードフレーム６９が挿入されている。保護ケース７１内の一方の側縁部には端子台７５が設けられており、保護ケース７１の内部に挿入された各出力リードフレーム６９は、端子台７５の上面に設けられた一対の中継板７６に、それぞれ、電気的に接続されている。各中継板７６は、保護ケース７１の中央部にネジ止めされたビス７２に、各中継線７７を介して、それぞれ、電気的に接続されている。
　【００１０】
　保護ケース７１内には、隣接する太陽電池モジュール６０の太陽電池本体部６６と電気的に接続された一対の出力ケーブル６８の先端部が、それぞれ挿入されており、各出力ケーブル６８の先端部が、保護ケース７１の中央部に設けられた各ビス７２にそれぞれ電気的に接続されている。各出力ケーブル６８は、サドル金具７３によって保護ケース７１内に固定されている。各ビス７２には、バイパスダイオード７４の各端子がそれぞれ電気的に接続されている。
　【００１１】
　図２３は、従来の端子ボックスの他の例を示す斜視図である。この端子ボックス８０は、保護ケース８１の底面部８１ａに、中継板８２が取り付けられており、その中継板８２を覆うように、端子台８３が、保護ケース８１の底面部８１ａにビス止めされている。端子台８３の上面には、ビスによって構成された多数の端子８６が設けられている。中継板８２には、太陽電池本体部６６に設けられたインターコネクタの出力リードフレームが接続される一対の導体８４が設けられており、各導体８４が、中継線８５を介して、端子台８３に設けられた所定の端子８６に電気的に接続されている。
　【００１２】
　このような端子ボックス８０は、太陽電池モジュール６０の太陽電池本体部６６に取り付けられて、そのインターコネクタの各出力リードフレームが、中継板８２に設けられた各導体８４に、それぞれ、半田付け等によって電気的に接続されるとともに、隣接する太陽電池モジュールの太陽電池本体部と電気的に接続される出力ケーブルが、端子台８３における所定の端子８６と、それぞれ、電気的に接続される。
　【００１３】
　【発明が解決しようとする課題】
　図２２に示す端子ボックス７０では、保護ケース７１に取り付けられる各ビス７２に対して、各出力リードフレーム６９と各出力ケーブル６８とを、バイパスダイオード７４の各端子にそれぞれ接続しなければならず、その接続作業が煩わしいという問題がある。また、保護ケース７１内に挿入される各出力ケーブル６８の端部を、サドル金具７３によって保護ケース７１内に固定する必要もあり、そのための作業も煩わしい。さらに、保護ケース７１内には、出力リードフレーム６９、バイパスダイオード７４、各ビス７２、各中継線７７、サドル金具７３等が配置されて複雑な構造になっている。
　【００１４】
　また、図２０に示すように、隣接する太陽電池モジュール６０の各出力ケーブル６８の防水コネクタにおけるプラグ６８ａとソケット６８ｂとを、太陽電池モジュール６０の表面側に引き出して、接続処理した後に、各太陽電池モジュール６０の間の空間内に収容しなければならず、そのための作業も必要である。
　【００１５】
　図２３に示す端子ボックス８０でも、中継板８２の各導体８４と端子台８３の各端子８６とを中継線８５にて接続しなければならず、また、保護ケース８１とは別体に構成された端子台８３を保護ケース８１内に取り付ける作業も必要であり、煩雑な作業が必要である。
　【００１６】
　本発明は、このような問題を解決するものであり、その目的は、内部における配線作業、太陽電池本体部に対する取付作業等が容易であり、また、隣接する太陽電池モジュールに対して容易に電気的に接続し得る太陽電池モジュールの端子ボックスを提供することにある。
　【００１７】
　【課題を解決するための手段】
　請求項１に記載の太陽電池モジュールの端子ボックスは、複数の太陽電池セルによって平板状に構成された太陽電池本体部の周縁部が枠体によって取り囲まれて構成された太陽電池モジュールにおいて、太陽電池本体部の出力を取り出すように太陽電池本体部に取り付けられた端子ボックスであって、前記太陽電池本体部のインターコネクタにおける複数の出力リードフレームが内部に挿入されるように太陽電池本体部の裏面に配置された保護ケースと、隣接する太陽電池本体部同士を電気的に接続する出力ケーブルに取り付けられたコネクタのプラグが挿入されるように枠体に設けられた開口部に連通しており、そのプラグと電気的に接続されるように、各出力リードフレームと電気的に接続された状態で前記保護ケース内に設けられたコネクタのソケットと、各出力リードフレームの間に設けられたバイパスダイオードと、を具備することを特徴とする。
　【００１８】
　請求項２に記載の太陽電池モジュールの端子ボックスは、複数の太陽電池セルによって平板状に構成された太陽電池本体部の出力を取り出すように太陽電池本体部に取り付けられた太陽電池モジュールの端子ボックスであって、前記太陽電池本体部のインターコネクタにおける複数の出力リードフレームが内部に挿入されるように太陽電池本体部の裏面に配置された保護ケースと、バイパスダイオードと、各出力リードフレームと電気的に接続される各出力リードフレームに沿って延びる第１接続部分、前記バイパスダイオードの端子と電気的に接続された側方に突出した第２接続部分、および、隣接する太陽電池本体部同士を電気的に接続する出力ケーブルに電気的に接続されるビス孔よりなる第３接続部分をそれぞれ有しており、前記保護ケース内にそれぞれ取り付けられた一対の平板状の接続金具と、を具備することを特徴とする。
　【００１９】
　請求項３に記載の太陽電池モジュールの端子ボックスは、複数の太陽電池セルによって平板状に構成された太陽電池本体部の出力を取り出すように太陽電池本体部に取り付けられた太陽電池モジュールの端子ボックスであって、前記太陽電池本体部のインターコネクタにおける複数の出力リードフレームが内部に挿入されるように太陽電池本体部の裏面に配置された保護ケースと、各出力リードフレームと電気的に接続される第１接続部分、および、隣接する太陽電池本体部同士を電気的に接続する出力ケーブルに電気的に接続される第３接続部分をそれぞれ有しており、前記保護ケース内にそれぞれ取り付けられた一対の平板状の接続金具と、を具備し、前記接続金具は、第１接続部分と第３接続部分との間に、伸縮可能になったストレスリリーフが設けられていることを特徴とする。
　【００２０】
　請求項４に記載の太陽電池モジュールの端子ボックスは、前記接続金具には、１または複数の接続部分が、さらに設けられている。
　【００２１】
　【発明の実施の形態】
　以下、本発明の実施の形態を、図面に基づいて詳細に説明する。
　【００２２】
　図１は、本発明の端子ボックスを有する太陽電池モジュールの一例を示す概略平面図である。この太陽電池モジュール１０は、長方形の平板状をした太陽電池本体部１１と、この太陽電池本体部１１の各側縁部に嵌合されて周縁部を取り囲む枠体１２とを有している。太陽電池本体部１１は、マトリックス状に配置された複数の太陽電池セルを、インターコネクタ等によって、電気的に直列または並列に接続されたスーパーストレート構造になった太陽電池セル本体を有しており、その太陽電池セル本体の表面側には、従来の太陽電池モジュールと同様に、透明樹脂によって薄い平板状に構成された充填材を介して、白色強化ガラス板が積層されている。また、太陽電池セル本体の裏面側にも、透明樹脂によって薄い平板状に構成された充填材を介して、耐候性フィルムが積層されている。そして、太陽電池セル本体は、白色強化ガラス板と、耐候性フィルムとによって、各充填材をそれぞれ介して挟持されて、全体として平板状の太陽電池本体部１１が構成されている。
　【００２３】
　枠体１２は、例えば、アルマイト処理およびクリア塗装が施されたアルミニウムの押し出し成形品によって構成された４つの枠材１２ａを有しており、各枠材１２ａが、太陽電池本体部１１の各側縁部に緩衝材を介して嵌合されている。
　【００２４】
　太陽電池本体部１１の一方の端部の裏面には、本発明の端子ボックス２０が設けられている。図２は、この端子ボックス２０の内部構造を示す平面図である。端子ボックス２０は、中空の直方体状をした保護ケース２１を有している。保護ケース２１は、太陽電池本体部１１の幅方向に沿った側縁部に設けられた枠材１２ａに取り付けられている。保護ケース２１は、太陽電池本体部１１の裏面に対向する正方形状の底面部２１ａと、その底面部２１ａの周縁部から立ち上げられた周面部２１ｂとによって構成されている。底面部２１ａには、一対の開口部２１ｃが設けられており、太陽電池本体部１１の各太陽電池セルからの出力を取り出すためのインターコネクタにおける一対の出力リードフレーム２２が、各開口部２１ｃを挿通して、保護ケース２１の内部に挿入されている。
　【００２５】
　各出力リードフレーム２２には、コネクタを構成するソケット２３の導体部２３ａが、それぞれ、半田によって接続されている。各ソケット２３は、端子ボックス２０が取り付けられた枠材１２ａを幅方向に貫通するように取り付けられており、枠材１２ａの外側面に設けられた開口部と連通するように、保護ケース２１の周面部２１ｂに設けられた貫通孔２１ｄをそれぞれ挿通している。各出力リードフレーム２２の間には、バイパスダイオード２４が設けられており、このバイパスダイオード２４の各端子に、各ソケット２３の導体部２３ａが、それぞれ半田付けによって接続されており、バイパスダイオード２４と各ソケット２３の導体部２３ａとが直接、電気的に接続された状態になっている。
　【００２６】
　太陽電池モジュール１０は、縦方向および横方向に並べられた状態で、家屋の屋根等に取り付けられるようになっており、隣接する太陽電池モジュール１０同士が、出力ケーブル３１によって、相互に電気的に接続される。隣接する太陽電池モジュール１０同士を電気的に接続するために使用される出力ケーブル３１は、各端部にプラグ３２がそれぞれ設けられており、各プラグ３２が、枠材１２ａに設けられた各ソケット２３に挿入される。各出力ケーブル３１の長さは、隣接する太陽電池モジュール１０にそれぞれ設けられた各端子ボックス２０における相互に近接した側に位置する一方のソケット２３間の距離に対して、若干長く設定されている。そして、隣接する太陽電池モジュール１０の各ソケット２３に、出力ケーブル３１の各端部に設けられたプラグ３２がそれぞれ挿入されることにより、隣接する太陽電池モジュール１０同士が電気的に接続される。
　【００２７】
　このように、各出力リードフレーム２２と、各ソケット２３の導体部２３ａとを直接電気的に接続することにより、保護ケース２１の内部の構成が著しく簡略化され、配線作業も容易になる。しかも、出力ケーブル３１と端子ボックス２０との接続作業も、出力ケーブル３１に設けられたプラグ３２をソケット２３内に挿入すればよく、その接続作業は、きわめて容易である。また、隣接する太陽電池モジュール１０における各太陽電池本体部１１同士も、枠体１２の枠材１２ａに沿った出力ケーブル３１によって接続されることになり、出力ケーブル３１の取り扱いも容易である。
　【００２８】
　図３は、本発明の端子ボックス２０の他の例を示す平面図である。この端子ボックス２０は、保護ケース２１の周面部２１ｂに設けられた一対の貫通孔２１ｄ内を、出力ケーブル３３がそれぞれ挿通している。各出力ケーブル３３の端部は、保護ケース２１内に直接挿入されており、各出力ケーブル３３の端部は、保護ケース２１の底面部２１ａにネジ止めされたサドル金具２６によって固定されている。サドル金具２６によって固定された各出力ケーブル３３の端部は、電線３３ａが、それぞれ絶縁被覆から露出された状態になっており、図４に示すように、各電線３３ａの先端に、ビス孔３４ａが設けられた端子金具３４がそれぞれ取り付けられている。
　【００２９】
　保護ケース２１内には、太陽電池本体部１１に取り付けられたインターコネクタの各出力リードフレーム２２が、各開口部２１ｃを通って挿入されており、各出力リードフレーム２２が、保護ケース２１の底面部２１ａに沿って配置された平板状の各接続金具２７にそれぞれ半田付けされている。各接続金具２７は、ビス２８によって保護ケース２１の底面部２１ａに取り付けられており、図５に示すように、金属板によって、各出力リードフレーム２２に沿って延びる第１接続部分２７ａと、各出力リードフレーム２２の遠方側にて、相互に接近するように側方に突出した第２接続部分２７ｂとを有するＬ字状に成形されている。そして、第１接続部分２７ａにおける各出力リードフレーム２２に近接した端部に、各出力リードフレーム２２の端部がそれぞれ半田付けによって直接接続されており、従って、接続金具２７と各出力リードフレーム２２とが、直接、電気的に接続された状態になっている。また、第２接続部分２７ｂの先端部には、バイパスダイオード２４の各端子が、それぞれ、半田付けによって接続されており、従って、接続金具２７とバイパスダイオード２４とが、直接、電気的に接続された状態になっている。
　【００３０】
　各接続金具２７のコーナー部には、ビス孔２７ｃ（第３接続部分）が設けられており、このビス孔２７ｃ内にビス２８が挿通されて、保護ケース２１の底面部２１ａに取り付けられている。各ビス２８は、前述した各出力ケーブル３３に取り付けられた端子金具３４のビス孔３４ａ内を挿通した状態で、接続金具２７のビス孔２７ｃに挿通されており、これによって端子金具３４と接続金具２７とが電気的に接続されている。
　【００３１】
　接続金具２７は、ステンレス、鉄、黄銅、りん青銅、銅、銀、アルミニウム、合金等の金属板によって構成される。また、合成樹脂等の絶縁物によって構成して、その表面をスズメッキ、ニッケルメッキ、クロメートメッキ、半田メッキ等のメッキ処理するようにしてもよい。
　【００３２】
　このような構成によって、部品点数が減少して、端子ボックス２０の内部の構造が簡略化される。また、端子ボックス２０内の配線作業が容易になるために、配線ミスを減少させることができ、信頼性が著しく向上する。
　【００３３】
　図６（ａ）は、接続金具２７の他の例を示している。各接続金具２７は、図６（ｂ）に示すように、長方形状をした一対の金属片２７ｄによってそれぞれ構成されている。各金属片２７ｄは、一方の端部に、ビス孔２７ｃがそれぞれ設けられており、各金属片２７ｄ同士を直交状態に配置して各ビス孔２７ｃ同士を重ね、各ビス孔２７ｃ内を挿通するビス２８によって、保護ケース２１の底面部２１ａに取り付けられるようになっている。
　【００３４】
　図７（ａ）は、接続金具２７のさらに他の例を示す平面図、図７（ｂ）は、そのＡ−Ａ線における断面図である。この接続金具２７は、インターコネクタの出力リードフレーム２２に接続される第１接続部分２７ａの中央部に、ストレスリリーフ２７ｇが設けられている。このストレスリリーフ２７ｇは、第１接続部分２７ａの長手方向に伸縮し得るように、断面波形状になっている。
　【００３５】
　このような構成の接続金具２７は、太陽電池モジュール１０におけるインターコネクタの出力リードフレーム２２と、出力ケーブル３３とが、ビス２８によって直接的に接続されているものの、出力ケーブル３３に加わる外力が、ストレスリリーフ２７ｇによって吸収されるために、出力リードフレーム２２に伝達するおそれがない。また、波形状になったストレスリリーフ２７ｇは、表面積が増加しているために、接続金具２７に出力リードフレーム２２およびバイパスダイオード２４を半田付けする際に、放熱を促進させることができる。
　【００３６】
　ストレスリリーフ２７ｇの形状は、このような波形状に限らず、図７（ｃ）に示すように、上方に断面半円形状に突出させる構成、図７（ｄ）に示すように、段差を形成する構成、図７（ｅ）に示すように、下方に角形状に突出させる構成、図７（ｆ）に示すように上方に角形状に突出させる構成等であってもよい。
　【００３７】
　接続金具２７は、図８（ａ）および（ｂ）に示すように、第２接続部分２７ｂの先端部に、バイパスダイオード２４の端子部が挿入される一対の挿入部２７ｈを切り起こしによって形成するようにしてもよい。このように、一対の挿入部２７ｈを設けることによって、バイパスダイオード２４の端子部との接続が容易になる。この場合、各挿入部２７ｈ内に挿入されたバイパスダイオード２４の端子部を半田付けすることにより、接続金具２７とバイパスダイオード２４の端子部との接続が一層強固なものとなる。
　【００３８】
　また、接続金具２７によって、３つ以上の箇所と電気的に接続する必要がある場合には、必要な数の接続部分が突出した状態になるような形状にすればよく、例えば、接続金具２７を３つの接続箇所と電気的に接続する場合には、図９（ａ）に示すように、３つの接続部分２７ｅが突出した形状にすればよい。また、５つの接続箇所と電気的に接続する必要がある場合には、図９（ｂ）に示すように、５つの接続部分２７ｅが突出した形状にすればよい。
　【００３９】
　図１０は、接続金具２７のさらに他の例を示すものであり、この接続金具２７は、出力ケーブル３３の露出された電線３３ａに接続される第３接続部分２７ｆが突出した状態で設けられている。この第３接続部分２７ｆには、電線３３ａが挿入されるように挿入片が設けられている。このような接続金具２７は、予め、出力ケーブル３３に接続されるために、保護ケース２１内での出力ケーブル３３との接続作業が不要になり、保護ケース２１内での配線作業が、さらに容易になる。
　【００４０】
　また、接続金具２７は、出力リードフレーム２２に直接接続する構成に限らず、図１１（ａ）および（ｂ）に示すように、第１接続部分２２ａに、長方形の平板状をした補助金具２９ａの一方の端部をビス２９ｂにて取り付けて、この補助金具２９ａの他方の端部と第１接続部分２７ａとによって、出力リードフレーム２２を挟み付けて保持するようにしてもよい。さらに、図１１（ｃ）および（ｄ）に示すように、接続金具２７を保護ケース２１の底面部２１ａに取り付けるビス２８によって、補助金具２９ａを接続金具２７に取り付けるようにしてもよい。いずれの場合にも、出力リードフレーム２２と接続金具２７とを電気的に接続するための半田付け作業が不要になり、作業性が向上する。
　【００４１】
　図１２は、端子ボックス２０の一例を示す平面図である。この端子ボックス２０は、一方の出力ケーブル３３が、図３に示す端子ボックス２０と同様に、保護ケース２１の底面部２１ａにネジ止めされたサドル金具２６によって固定されている。保護ケース２１内に位置する出力ケーブル３３の端部は、絶縁被覆から電線が露出されており、その電線に端子金具３４が取り付けられている。端子金具３４は、ビス２８によって、保護ケース２１の底面部２１ａに取り付けられている。端子金具３４とビス２８とは電気的に接続された状態になっている。
　【００４２】
　保護ケース２１内には、太陽電池本体部１１に取り付けられたインターコネクタの一対の出力リードフレーム２２が、底面部２１ａに設けられた各開口部２１ｃを通ってそれぞれ挿入されており、各出力リードフレーム２２が、保護ケース２１に取り付けられた平板状の接続金具２７にそれぞれ半田付けされている。そして、各接続金具２７には、バイパスダイオード２４の端子が、それぞれ、半田付けされており、各接続金具２７とバイパスダイオード２４とが、直接、電気的に接続されている。一方の接続金具２７は、端子金具３４と電気的に接続された状態のビス２８に、電気的に接続された状態になっている。
　【００４３】
　端子ボックス２０から引き出された出力ケーブル３３の端部には、防水コネクタのソケット３５が取り付けられている。
　【００４４】
　端子ボックス２０における保護ケース２１には、出力ケーブル３３の端部に設けられた防水コネクタのプラグ３５が嵌入し得る円筒状の挿入孔２１ｅが設けられている。この挿入孔２１ｅ内には、防水コネクタのソケット３５に挿入されるプラグ３６が設けられている。プラグ３６は、挿入孔２１ｅの軸心部に沿うように、挿入孔２１ｅの内奥面に一体的に支持されており、プラグ３６は、出力ケーブル３３に接続されていない他方の接続金具２７に電気的に接続されている。
　【００４５】
　このように、一方の出力リードフレーム２２と、コネクタのプラグ３６とを直接、電気的に接続することにより、保護ケース２１の内部の構成が著しく簡略化され、配線作業も容易になる。しかも、他の太陽電池モジュール１０に設けられた出力ケーブル３３のソケット３５を、挿入孔２１ｅ内に挿入することによって、ソケット３５とプラグ３６とが電気的に接続されるために、その接続作業も、きわめて容易である。
　【００４６】
　図１３は、端子ボックスの他の例を示す斜視図である。この端子ボックス４０は、太陽電池本体部１１の裏面に対向した状態になる長方形状の底面部４１ａと、その底面部４１ａの周縁部から立ち上げられた周面部４１ｂとが、合成樹脂によって一体成形された保護ケース４１を有している。この保護ケース４１内には、底面部４１ａと一体成形された端子台４２が、一方の側縁部に沿って設けられている。また、底面部４１ａには、一対の開口部４１ｃが設けられており、各貫通孔４１ｃ内を、太陽電池本体部１１の各太陽電池セルからの出力を取り出すためのインターコネクタの出力リードフレームがそれぞれ挿通している。さらに、各開口部４１ｃに近接した周面部４１ｂには、太陽電池本体部の出力ケーブルが挿通する一対の貫通孔４１ｄも設けられている。
　【００４７】
　保護ケース４１内に設けられた端子台４２は、中空の直方体状をしており、保護ケース４１内に突出するように、底面部４１ａと一体成形されている。端子台４２の上面は、上方に垂直に突出した３つの隔壁部４２ａによって、長手方向に４つに分割されている。各隔壁部４２ａによって分割された端子台４２の上面部分には、図１４に示すように、中央部にビス挿通孔４２ｂがそれぞれ設けられている。また、そのビス挿通孔４２ｂを挟んで、直線状に延びる一対の係合孔４２ｃがそれぞれ設けられている。各係合孔４２ｃは、端子台４２の幅方向に沿った状態になっている。
　【００４８】
　端子台４２における各隔壁部４２ａによって分割された上面部分には、平板状の端子板４３が、それぞれ配置されている。端子台４２の各端部に配置される各端子板４３の中央部には、内周面にネジ溝が形成されたビス孔４３ａが設けられており、これらの端子板４３の各側縁部には、端子台４２の上面に配置された各係止孔４２ｃに挿入されて係止される係止脚部４３ｂが、下方に垂直に突出した状態でそれぞれ設けられている。このような端子板４３は、各係止脚部４３ｂが端子台４２の各係止孔４２ｃに挿入されて係止されることにより、ビス孔４３ａと端子台４２上面のビス挿通孔４２ｂとが整合状態で重なった状態になる。そして、端子板４３のビス孔４３ａに、配線を接続するためのビス４４がねじ込まれるようになっている。端子台４２の各端部にそれぞれ配置された各端子板４３を端子台４２に取り付ける各ビス４４には、特に配線が接続されず、空端子になっている。
　【００４９】
　端子台４２の上面における中央部に配置される各端子板４５は、一方の側部に、一対のビス孔４５ａが並んだ状態で設けられており、各ビス孔４５ａ内周面にネジ溝が形成されている。そして、各ビス孔４５ａ内に配線接続用のビス４４がねじ込まれるようになっている。各端子板４５の各側縁部にも、係止脚部４５ｂが、それぞれ、下方に延出した状態で設けられている。端子台４２の中央部にて隔壁部４２ａにて分割された一対の上面部分には、各端子板４５にねじ込まれる一対のビス４４が挿通し得るビス挿通孔４２ｂがそれぞれ設けられるとともに、一対のビス挿通孔４２ｂを挟んで、一対の係止孔４２ｃが設けられている。
　【００５０】
　これらの各端子板４５も、端子台４２の上面に、各係止脚部４５ｂが挿入されて係止されるとともに、各ビス孔４５ａ内にビス４４がねじ込まれている。そして、各端子板４５におけるそれぞれの外側に位置するビス孔４５ａにねじ込まれたビス４４には、図１３に示すように、出力リード線４６がそれぞれ接続されている。各出力リード線４６は、隣接する太陽電池本体部同士を接続するためのケーブルにそれぞれ接続されるようになっている。また、各端子板４５におけるそれぞれの内側に位置するビス孔４５ａにねじ込まれたビス４４には、バイパスダイオード４７の端子部が接続されている。
　【００５１】
　各端子板４５における各ビス孔４５ａが設けられた側部とは反対側の側縁部には、導体４８が、半田付け等によって、それぞれ、電気的に接続された状態で取り付けられている。各導体４８は、太陽電池本体部に設けられたインターコネクトの各出力リードフレームが、それぞれ接続されるようになっている。
　【００５２】
　このような構成の端子ボックス４０は、太陽電池モジュールにおける太陽電池本体部の裏面に取り付けられる。そして、端子台４２における中央部に配置された各端子板４５の各導体４８に、太陽電池本体部に設けられたインターコネクトの各出力リードフレームが、半田付け等によってそれぞれ接続されるとともに、各端子板４５に接続された出力リード線４６に出力ケーブルが接続される。
　【００５３】
　このように、太陽電池本体部に取り付ける際の配線接続作業は、４箇所でよく、また、端子台４２も保護ケース４１に一体成形されているために、端子台４２を保護ケース４１に取り付けるための作業も不要になり、端子ボックス４０の取付作業は著しく容易になる。
　【００５４】
　【発明の効果】
　本発明の太陽電池モジュールの端子ボックスは、このように、保護ケースの内部における電気的な接続作業が著しく容易になるとともに、保護ケースの取付作業も著しく容易になり、また、隣接する太陽電池モジュールとの電気的な接続も容易に行える。端子台が保護ケースと一体に形成されていることにより、端子台の取付作業が不要になり、作業性は著しく向上する。
【図面の簡単な説明】
　【図１】
　本発明の端子モジュールが設けられた太陽電池モジュールの一例を示す平面図である。
　【図２】
　本発明の太陽電池モジュールの端子ボックスの実施の形態の一例を示す平面図である。
　【図３】
　本発明の太陽電池モジュールの端子ボックスの実施の形態の他の例を示す平面図である。
　【図４】
　その端子ボックスに接続される出力ケーブルの端部を示す平面図である。
　【図５】
　その端子ボックスに使用される接続金具の一例を示す平面図である。
　【図６】
　（ａ）は、図３に示す端子ボックスに使用される接続金具の他の例を示す平面図、（ｂ）はその接続金具の分解図である。
　【図７】
　（ａ）は、図３に示す端子ボックスに使用される接続金具のさらに他の例を示す平面図、（ｂ）は（ａ）のＡ−Ａ線における断面図、（ｃ）〜（ｆ）は、それぞれ、接続金具の他の例を示す断面図である。
　【図８】
　（ａ）は、図３に示す端子ボックスに使用される接続金具のさらに他の例を示す平面図、（ｂ）はその接続金具の使用状態を説明するための要部の斜視図である。
　【図９】
　（ａ）および（ｂ）は、それぞれ、図３に示す端子ボックスに使用される接続金具のさらに他の例を示す平面図である。
　【図１０】
　図３に示す端子ボックスに使用される接続金具のさらに他の例を示す平面図である。
　【図１１】
　（ａ）は、図３に示す端子ボックスに使用される接続金具のさらに他の例を示す平面図、（ｂ）はその側面図、（ｃ）は、端子ボックスに使用される接続金具のさらに他の例を示す平面図、（ｄ）はその側面図である。
　【図１２】
　端子ボックスの一例を示す平面図である。
　【図１３】
　端子ボックスの他の例を示す斜視図である。
　【図１４】
　その端子ボックスの要部を分解して示す斜視図である。
　【図１５】
　従来の太陽電池モジュールの一例を示す斜視図である。
　【図１６】
　図１５のＢ−Ｂ線における断面図である。
　【図１７】
　その太陽電池モジュールの分解斜視図である。
　【図１８】
　その太陽電池モジュールの配置状態を示す概略平面図である。
　【図１９】
　（ａ）は、隣接する太陽電池モジュール同士を電気的に接続するコネクタの側面図、（ｂ）は、その接続状態を示す側面図である。
　【図２０】
　隣接する太陽電池モジュール同士を接続する出力ケーブルの収納状態を示す平面図である。
　【図２１】
　太陽電池モジュールの取付け状態を示す概略図である。
　【図２２】
　その太陽電池モジュールに使用される端子モジュールの平面図である。
　【図２３】
　太陽電池モジュールの従来の端子ボックスの他の例を示す斜視図である。
　【符号の説明】
　１０　太陽電池モジュール
　１１　太陽電池本体部
　１２　枠体
　１２ａ　枠材
　２０　端子ボックス
　２１　保護ケース
　２１ａ　底面部
　２１ｂ　周面部
　２１ｃ　開口部
　２１ｅ　挿入孔
　２２　出力リードフレーム
　２３　ソケット
　２３ａ　導体部
　２４　バイパスダイオード
　２６　サドル金具
　２７　接続金具
　２７ａ　第１接続部
　２７ｂ　第２接続部
　２７ｃ　ビス孔
　２７ｇ　ストレスリリーフ
　２８　ビス
　３１　出力ケーブル
　３２　プラグ
　３３　出力ケーブル
　３３ａ　電線
　３４　端子部
　３５　ソケット
　３６　プラグ
　４０　端子ボックス
　４１　保護ケース
　４１ａ　底面部
　４１ｂ　周面部
　４１ｃ　開口部
　４２　端子台
　４２ａ　隔壁部
　４３　端子板
　４４　ビス
　４６　出力リード線
　４７　バイパスダイオード